(57)【要約】【課題】管理装置から画像形成装置の設定を変更する場合の管理者の負荷を軽減すること。【解決手段】管理装置１０１のデバイス設定情報作成部１００２は、印刷装置１０３に送信する設定情報を設定するための画面（図４〜図６）に、印刷装置１０３でクイック機能がＯＮの場合における設定変更の反映方法を提示し、さらに印刷装置１０３の設定変更結果通知機能を設定させ、前記設定情報とともに印刷装置１０３に送信する。印刷装置１０３では、再起動情報テーブルにクイック機能のＯＮ／ＯＦＦのそれぞれの場合の設定変更の反映方法を保管してある。デバイス設定情報設定部１０１２は、管理装置１０１から受信した設定情報を記憶部１０１０に設定する。監視部１０１３は、前記設定変更の反映状況を確認し、反映されていない場合に、クイック機能の設定に対応した設定変更の反映方法を再起動情報テーブルから取得し、前記確認結果とともに管理者に通知する。【選択図】図１０
2013186749.tif 000002
【特許請求の範囲】
【請求項１】
画像形成装置に設定情報を送信して前記画像形成装置の設定を変更可能な管理装置であって、
前記画像形成装置に送信する設定情報を設定するための第１設定手段と、
前記画像形成装置で、変更された設定を反映する初期化処理を省略して装置を起動する起動機能が有効に設定されている場合における、前記設定情報で変更される設定の反映方法を、提示する提示手段と、
前記設定情報に対応する設定変更の反映状況を確認して所定の通知先に通知する前記画像形成装置の通知機能を設定するための第２設定手段と、
を有することを特徴とする管理装置。
【請求項２】
前記反映方法を前記画像形成装置から取得する取得手段を有することを特徴とする請求項１に記載の管理装置。
【請求項３】
前記第２設定手段は、前記通知機能で前記設定変更の反映状況を確認する日時を指定することを特徴とする請求項１又は２に記載の管理装置。
【請求項４】
管理装置から受信した設定情報に基づいて設定変更可能な画像形成装置であって、
変更された設定を反映する初期化処理を省略して装置を起動する起動機能を実行する制御手段と、
前記起動機能が有効に設定されている場合の設定変更の反映方法と、前記起動機能が無効に設定されている場合の設定変更の反映方法とをそれぞれ記憶する記憶手段と、
前記管理装置から受信した設定情報に基づく設定変更の反映状況を確認し、反映されていない場合に、前記起動機能の設定に基づいて前記設定変更の反映方法を取得し、前記確認結果とともに、所定の通知先に通知する通知手段と、
を有することを特徴とする画像形成装置。
【請求項５】
前記起動機能が有効に設定されている場合の設定変更の反映方法と、前記起動機能が無効に設定されている場合の設定変更の反映方法とをそれぞれ記憶する記憶手段を有し、
前記通知手段は、前記起動機能の設定に対応した前記設定変更の反映方法を、前記記憶手段から取得することを特徴とする請求項４に記載の画像形成装置。
【請求項６】
前記画像形成装置で実行された処理を動作ログとして記録して保管する保管手段を有し、
前記通知手段は、前記設定変更が反映されていない場合に、前記動作ログを参照して、前記設定変更の後に、前記起動機能の設定に対応する設定変更の反映方法が実行されたかどうかを確認し、該確認結果に基づいて原因を解析し、前記所定の通知先に通知することを特徴とする請求項４又は５に記載の画像形成装置。
【請求項７】
前記通知手段は、前記設定変更の後に前記起動機能の設定に対応する設定変更の反映方法が実行されていない場合に、前記設定変更の後に、前記記憶手段に記憶されている前記起動機能の設定とは異なる設定に対応する設定変更の反映方法が実行されたかどうかを確認し、該確認結果に基づいて原因を解析し、前記所定の通知先に通知することを特徴とする請求項６に記載の画像形成装置。
【請求項８】
前記通知手段は、前記管理装置から指定された日時に、前記設定変更の反映状況の確認を行うことを特徴とする請求項４乃至７のいずれか1項に記載の画像形成装置。
【請求項９】
前記起動機能の設定に応じた設定変更の反映方法を、前記記憶手段から取得して、前記管理装置に送信する反映方法送信手段を有することを特徴とする請求項４乃至８のいずれか１項に記載の画像形成装置。
【請求項１０】
前記設定変更の反映方法は、前記画像形成装置の電源スイッチをオフした後にオンする操作、前記画像形成装置の再起動、前記設定変更された機能の再起動の少なくとも１つを含むことを特徴とする請求項４乃至９のいずれか１項に記載の画像形成装置。
【請求項１１】
画像形成装置に設定情報を送信して前記画像形成装置の設定を変更可能な管理装置の制御方法であって、
前記管理装置が実行する、
前記画像形成装置に送信する設定情報を設定するための第１設定ステップと、
前記画像形成装置で、変更された設定を反映する初期化処理を省略して装置を起動する起動機能が有効に設定されている場合における、前記設定情報で変更される設定の反映方法を、提示する提示ステップと、
前記設定情報に対応する設定変更の反映状況を確認して所定の通知先に通知する前記画像形成装置の通知機能を設定するための第２設定ステップと、
を有することを特徴とする管理装置の制御方法。
【請求項１２】
管理装置から受信した設定情報に基づいて設定変更する機能と、変更された設定を反映する初期化処理を省略して装置を起動する起動機能と、を有する画像形成装置の制御方法であって、
前記画像形成装置が実行する、
前記管理装置から受信した設定情報に基づく設定変更の反映状況を確認する確認ステップと、
前記確認ステップで前記設定変更が反映されていないことが確認された場合に、前記起動機能の設定に基づいて前記設定変更の反映方法を解析し、前記確認ステップでの確認結果とともに、所定の通知先に通知する通知ステップと、
を有することを特徴とする画像形成装置の制御方法。
【請求項１３】
コンピュータを、請求項１乃至３のいずれか１項に記載された手段として機能させるためのプログラム。
【請求項１４】
コンピュータを、請求項４乃至１０のいずれか１項に記載された手段として機能させるためのプログラム。
【発明の詳細な説明】
【技術分野】
【０００１】
本発明は、画像形成装置の設定を変更する管理装置、画像形成装置、管理装置の制御方法、画像形成装置の制御方法、及びプログラムに関する。
【背景技術】
【０００２】
従来の印刷システムには、管理者が管理装置を使って遠隔操作で印刷装置（画像形成装置）内部の各種設定情報を変更する手段を備えたものが存在する。
このような印刷システムでは、印刷装置内部の各種設定情報を変更することで、印刷装置の機能を変更することが可能となっている。
例えば、印刷装置のドライバ情報をユーザに通知するためのドライバ情報配信機能を備えた印刷システムが存在する。当該印刷システムでは、管理者が管理装置を使って、印刷装置内部のドライバ情報配信機能の設定を変更することでドライバ情報配信機能の利用可否を変更することができる。
【０００３】
遠隔操作で装置内部の設定情報を変更する方法としては、特許文献１が提案されている。
特許文献１には、ファクシミリ装置の内部設定情報の遠隔操作が可能なファクシミリ装置及びファクシミリメールシステムが記載されている。特許文献１では、外部のファクシミリ装置あるいはファクシミリメール装置が設定変更指示情報を送信し、設定変更指示情報を受信したファクシミリ装置が内部設定情報を変更し、変更結果を送信先に通知することで遠隔操作を可能としている。
【先行技術文献】
【特許文献】
【０００４】
【特許文献１】特開５−２３６２３７号公報
【発明の概要】
【発明が解決しようとする課題】
【０００５】
遠隔操作で印刷装置内部の各種設定情報を変更して印刷装置の機能を変更する場合、管理者は、遠隔で印刷装置の機能が変更されたか否かを最終確認する必要がある。
例えば、上述した印刷装置のドライバ情報配信機能の利用可否を変更する場合、管理者は管理装置を操作して、印刷装置内部のドライバ情報配信機能の設定を変更し、その後、印刷装置を再起動して設定変更を有効化していた。印刷装置の再起動後に、管理者は、管理装置を操作して、印刷装置のドライバ情報配信機能の設定変更が有効化されているか否かを確認していた。
【０００６】
しかしながら、複数の印刷装置の機能を変更する際には、各印刷装置の再起動時間が異なる。そのため、管理者は、全ての印刷装置が再起動時間を予測して、全ての印刷装置の再起動後に確認するか、あるいは、全ての印刷装置の確認が終了するまで、確認を繰り返す必要があった。
【０００７】
また、管理者は、設定変更を有効にするための各印刷装置の再起動方法を把握しておく必要があった。
また、管理者は、設定変更の有効化の成否にかかわらず、全ての印刷装置の確認を行う必要があった。
また、管理者は、設定変更が有効化されていなかった場合に、設定変更が有効化されていない原因を知ることができないという問題があった。
【０００８】
例えば、装置の使用可能状態を高速に切り替えるために、クイック機能と呼ばれる機能を備えた印刷装置がある。このような印刷装置では、クイック機能がＯＮに設定されている状態で、印刷装置の電源スイッチをＯＦＦにすると、印刷装置はメモリにのみ電力が供給されているクイックＯＦＦ状態になり、印刷装置の各機能は使用不可となる。また、クイックＯＦＦ状態で電源スイッチをＯＮすると、印刷装置の全体に電力が供給され、印刷装置は電源ＯＮ状態になり、印刷装置の各機能は使用可能となる。この時、印刷装置では、電源ＯＦＦ状態からの起動時で実行される初期化処理は実行されず（省略され）、電源ＯＦＦ状態からの起動に比べ、印刷装置をより高速に電源ＯＮ状態に切り替えることが可能となる。
【０００９】
しかし、クイック機能がＯＮに設定されている状態で印刷装置を再起動しても印刷装置の初期化処理は実行されないため、初期化処理により設定変更が有効となる機能（例えば、上述のドライバ情報配信機能）に対する設定変更は、再起動後も有効化されないままとなってしまう。
【００１０】
また、管理者が、印刷装置のクイック機能がＯＮとなっていることを認識していなかった場合や、クイック機能がＯＮとなっている状態では印刷装置を再起動しても特定の設定変更は有効化されないといったことを認識していない可能性がある。
【００１１】
この場合、管理者が印刷装置の再起動後に、印刷装置の設定変更が有効化されているか確認しても、管理者は設定変更が想定通り有効化されていないことが分かるだけで、設定変更が有効化されていない原因を知ることも、有効化する方法を知ることもできず、対応が困難であった。
【００１２】
本発明は、上記の問題点を解決するためになされたものである。本発明の目的は、管理装置から画像形成装置の設定を変更する場合の管理者の負荷を軽減する仕組みを提供することである。
【課題を解決するための手段】
【００１３】
本発明は、画像形成装置に設定情報を送信して前記画像形成装置の設定を変更可能な管理装置であって、前記画像形成装置に送信する設定情報を設定するための第１設定手段と、前記画像形成装置で、変更された設定を反映する初期化処理を省略して装置を起動する起動機能が有効に設定されている場合における、前記設定情報で変更される設定の反映方法を、提示する提示手段と、前記設定情報に対応する設定変更の反映状況を確認して所定の通知先に通知する前記画像形成装置の通知機能を設定するための第２設定手段と、を有することを特徴とする。
【発明の効果】
【００１４】
本発明によれば、管理装置から画像形成装置の設定を変更する場合の管理者の負荷を軽減することができる。
【図面の簡単な説明】
【００１５】
【図１】本発明の一実施例を示す印刷システムの構成の一例を示すブロック図である。
【図２】情報処理装置１０１と印刷装置１０３の構成の一例を示すブロック図である。
【図３】本実施例の管理装置１０１が表示するデバイス選択画面の一例を示す図である。
【図４】実施例１の管理装置１０１が表示するドライバ情報配信設定画面の一例を表した図である。
【図５】実施例１の管理装置１０１が表示するドライバ情報配信設定画面の一例を表した図である。
【図６】実施例１の管理装置１０１が表示するドライバ情報配信設定画面の一例を表した図である。
【図７】本実施例の印刷装置１０３が表示するドライバ情報配信画面の一例を示す図である。
【図８】本実施例の印刷装置１０３が保持するデバイス設定情報の一例を示す図である。
【図９】本実施例の印刷装置１０３が保持する再初期化情報テーブルの一例を示す図である。
【図１０】本実施例の管理装置１０１と印刷装置１０３の主要なモジュール構成の一例を示すブロック図である。
【図１１】本実施例の印刷装置のメール送信部１０１４が送付する設定変更結果通知メールの一例を示す図である。
【図１２】本実施例における管理装置１０１の処理の流れを示すフローチャートである。
【図１３】本実施例の設定変更結果通知情報の一例を表した図である。
【図１４】本実施例における印刷装置１０３のデバイス設定情報設定部１０１２の処理の流れを示すフローチャートである。
【図１５】本実施例における印刷装置１０３の監視部１０１３の処理の流れを示すフローチャートである。
【図１６】実施例２における印刷装置１０３の監視部１０１３の処理の流れを示すフローチャートである。
【図１７】図１６のＳ１６１１で作成される設定変更結果通知メールの一例を示す図である。
【発明を実施するための形態】
【００１６】
以下、本発明を実施するための形態について図面を用いて説明する。
【実施例１】
【００１７】
以下、本発明に係る一実施形態としての印刷システムについて説明する。
図１は、本発明の一実施例を示す印刷システムの構成の一例を示すブロック図である。なお、特に断らない限り、本発明の機能が実行されるのであれば、単体の機器であっても、複数の機器からなるシステムであっても、本発明を適用できることは言うまでもない。また、特に断らない限り、本発明の機能が実行されるのであれば、ＬＡＮ，ＷＡＮ等のネットワークを介して接続が為され処理が行われるシステムであっても本発明を適用できることは言うまでもない。
【００１８】
図１において、１０１〜１０２は情報処理装置であり、イーサネット（登録商標）などのネットワークケーブルによって、ネットワーク１０６に接続されている。情報処理装置１０１〜１０２は、アプリケーションプログラム等の各種のプログラムを実行可能であり、ネットワーク１０６に接続されている他の機器と双方向に通信可能な通信装置を備えている。
【００１９】
なお、情報処理装置１０１は、管理装置としての情報処理装置であって、以下、他の情報処理装置と区別する場合には管理装置１０１と呼ぶ。管理装置１０１は、印刷装置１０３〜１０５の情報を保管しており、ネットワーク１０６を介して、印刷装置に設定情報を送信して、遠隔で印刷装置の内部設定情報を変更する機能を備えている。また、管理装置１０１は、管理者に印刷装置１０３〜１０５の設定変更有効化方法（設定変更の反映方法）を通知（提示）する機能を備えている。
【００２０】
また、情報処理装置１０２は、パーソナルクライアントコンピュータとしての情報処理装置であって、以下、他の情報処理装置と区別する場合にはクライアントと呼ぶ。ユーザは、クライアント装置１０２を操作して、印刷装置１０３〜１０５が配信したドライバ情報に従って、印刷装置１０３〜１０５からプリンタドライバを取得することができる。また、ユーザは、クライアント装置１０２にプリンタドライバをインストールして、印刷装置１０３〜１０５に画像データを含む印刷ジョブを送信し、印刷を実行させることが可能となっている。
【００２１】
印刷装置１０３〜１０５は、プリンタや複合機（ＭＦＰ；Multifunction Peripheral）等の画像形成装置である。印刷装置１０３〜１０５は、図示省略したネットワークインタフェースを介してネットワーク１０６に接続されている。なお、以下の説明では、印刷装置１０３〜１０５を代表して、印刷装置１０３を用いて説明するが、印刷装置１０４，１０５であっても同様である。
【００２２】
印刷装置１０３は、クライアント１０２から送信される画像データを含む印刷ジョブを解析して１ページずつイメージに変換して印刷する機能を備える。また、詳細は後述する図１０等に示すが、印刷装置１０３は、印刷装置を制御するためのプリンタドライバを記憶部に保管する機能、および、ドライバ情報を配信するドライバ情報配信機能を備えている。さらに、印刷装置１０３は、実行された処理を動作ログに記録して保管する機能を備えている。また、印刷装置１０３は、自身を再起動する機能、自身が備える一部のモジュールを再起動する機能、および、後述するクイック機能を備えている。また、印刷装置１０３は、管理装置１０１から受信した設定情報に基づいて設定変更する機能を備えている。即ち、印刷装置１０３は、管理装置１０１から設定変更可能である。
【００２３】
なお、印刷装置１０３は、電子写真方式を採用したレーザービームプリンタ、インクジェット方式を採用したインクジェットプリンタ、熱転写方式を利用したプリンタ等の様々な印刷方式のもののうち何れの印刷方式であってもよい。
【００２４】
ネットワーク１０６には管理装置１０１、クライアント装置１０２、印刷装置１０３、１０４、１０５等が通信可能に接続されている。なお、ネットワーク１０６は、有線のネットワークのみでなく無線のネットワークであってもよい。
【００２５】
図２は、情報処理装置１０１と印刷装置１０３の構成の一例を示すブロック図である。なお、情報処理装置１０２の構成も、情報処理装置１０１と同様の構成を有する。また、印刷装置１０４，１０５の構成も、印刷装置１０３と同様の構成を有する。
【００２６】
まず、情報処理装置１０１の詳細構成を説明する。
情報処理装置１０１において、ＣＰＵ２００は、情報処理装置１０１における処理を制御する。ＣＰＵ２００は、ハードディスク（ＨＤ）２０５にコンピュータ読み取り可能に記録されているアプリケーションプログラム、プリンタドライバ、ＯＳ等を実行する。ＣＰＵ２００は、ＲＡＭ２０２にプログラムの実行に必要な情報、ファイル等を一時的に格納する制御を行う。
【００２７】
ＲＯＭ２０１は記憶部であり、内部には基本Ｉ／Ｏプログラム等のプログラム、文書処理の際に使用するフォントデータ、テンプレート用データ等の各種データがコンピュータ読み取り可能に記録されている。ＲＡＭ２０２は一時記憶部であり、ＣＰＵ２００の主メモリ、ワークエリア等として機能する。
【００２８】
ＦＤドライブ２０３は、記録媒体読み込み部である。このＦＤドライブ２０３を介して、記録媒体としてのフロッピー（登録商標）ディスク（ＦＤ）２０４に記憶されたプログラム等を情報処理装置１０１にロードすることができる。なお、記録媒体はＦＤに限らず、ＣＤ−ＲＯＭ、ＣＤ−Ｒ、ＣＤ−ＲＷ、ＰＣカード、ＤＶＤ、ＩＣメモリカード、ＭＯ、メモリスティック等、任意である。ＦＤ２０４等の記録媒体には、プログラム等がコンピュータ読み取り可能に記録されている。
【００２９】
ハードディスク装置（ＨＤ）２０５は外部記憶部の一つであり、大容量メモリとして機能する。ＨＤ２０５には、アプリケーションプログラム、プリンタドライバプログラム、ＯＳ、ネットワーク制御プログラム等がコンピュータ読み取り可能に記録されている。
【００３０】
キーボード（ＫＢＤ）２０６及びポインティングデバイス（ＰＤ）２０９は指示入力部である。ディスプレイ２０７は表示部であり、ＫＢＤ２０６やＰＤ２０９から入力されたコマンドや、後述のデバイス選択画面等を表示するものである。
【００３１】
システムバス２０８は、情報処理装置１０１内のデータの流れを司るものである。接続部２１０は、ネットワーク等の双方向インタフェース２１１を介して印刷装置１０３等の外部装置とのデータのやり取りを行う。
【００３２】
次に、印刷装置１０３の詳細構成を説明する。
印刷装置１０３は、ハードディスク装置（ＨＤ）２２８、接続部２２６、データ制御部（データ処理エンジン）２２５、操作部２２４、外部メモリ２２３、ＰＣＰＵ２２０、ＰＲＡＭ２２２、及びＰＲＯＭ２２１を主要な構成要素する。これらの構成要素がシステムバス２２７を介して互いに接続されている。
【００３３】
プリンタＣＰＵ（ＰＣＰＵ）２２０は、印刷装置１０３の全体制御を司るものである。ＰＣＰＵ２２０は、後述するＰＲＯＭ２２１或いはＨＤ２２８に記憶された制御プログラムに基づいて、接続部２２６で受信したプリンタ制御コマンドをデータ制御部２２５に送信する。
【００３４】
ＨＤ２２８は、大容量の記憶装置である。ＨＤ２２８は、フォントデータや印刷ジョブ等のデータの保存先として利用される。また、ＨＤ２２８は、図示しない外部装置としての記憶装置と置き換えが可能である。ＨＤ２２８を外部の記憶装置と置き換える場合は、印刷装置１０３は接続部２２６を介し、データの送受信を行う。また、ＨＤ２２８は、印刷装置識別情報として当該印刷装置に割り当てられたＩＰアドレス、及びドライバ設置場所情報等を保管している。
【００３５】
ＰＲＡＭ２２２は、ＰＣＰＵ２２０の主メモリとして、ＰＣＰＵ２２０による制御実行時、ワークデータエリアとして使用される各種データの一時記憶領域を備えている。外部メモリ２２３は、オプションとしても接続され、フォントデータ、エミュレーションプログラム、フォームデータ等を記憶する。
【００３６】
ＰＲＯＭ２２１はプリンタ内部メモリであり、外部メモリと同様に、各種データや本印刷装置を制御するプリンタ制御プログラム等を記憶している。
データ制御部２２５はデータ処理エンジンであり、ＰＣＰＵ２２０により制御され、ＰＲＯＭ２２１、或いは外部メモリ２２３に記憶された制御プログラムよりシステムバス２２７を介して出力された画像データを使って印刷処理を行う。
【００３７】
操作部２２４は、操作パネルや操作スイッチ等の入力部、及びＬＥＤ、液晶パネル等の表示部等から構成され、オペレータの操作を受け、結果を表示するものである。オペレータは、操作部２２４を介して本実例の印刷装置の設定を指示や、確認することが可能である。
【００３８】
接続部２２６は、双方向インタフェース２１１を介して情報処理装置１０１の接続部２１０に接続し、印刷制御コマンド（送信データ）の受信や、印刷装置内部の設定情報等を通知する事も可能である。
【００３９】
印刷装置１０３は、不図示の電源および電源スイッチを備えている。電源スイッチをＯＮにすると、印刷装置１０３内の各部に電力が供給され、初期化処理が実行されたのち、印刷装置１０３は電源ＯＮ状態になる。電源ＯＮ状態とは、印刷装置１０３の各機能が使用可能な状態のことを示す。
【００４０】
一方、電源スイッチをＯＦＦにすると、終了処理が実行されたのち、印刷装置１０３内の各部への電力が遮断され、印刷装置１０３は電源ＯＦＦ状態になる。電源ＯＦＦ状態とは、印刷装置の各機能が使用不可能な状態のことを示す。
【００４１】
印刷装置１０３は、印刷装置の使用可能状態を高速に切り替えるためのクイック機能を備えている。このクイック機能がＯＮに設定されている状態で、電源スイッチをＯＦＦにすると、印刷装置１０３はＰＲＡＭ２２２、および、外部メモリ２２３にのみ電源が供給されているクイックＯＦＦ状態になる。このクイックＯＦＦ状態では、印刷装置１０３の各機能は使用不可となっている。また、クイックＯＦＦ状態で電源スイッチをＯＮすると、印刷装置１０３の全体に電力が供給され、印刷装置１０３は電源ＯＮ状態になる。ただし、この時、印刷装置１０３の初期化処理は実行されない。初期化処理が実行されないため、クイックＯＦＦ状態は、電源ＯＦＦ状態に比べ、より高速に電源ＯＮ状態に切り替わる。即ち、クイック機能は、変更された設定を反映することが可能な初期化処理を省略して装置を起動することが可能な起動機能を提供する。
【００４２】
印刷装置１０３は、電源スイッチを操作することなく遠隔操作で再起動可能となっている。電源ＯＮ状態の時に再起動を実行すると、印刷装置１０３は、終了処理を実行して電源ＯＦＦ状態になり、その後、続けて初期化処理を実行して電源ＯＮ状態に戻る。
【００４３】
電源ＯＮ状態の時に、印刷装置１０３の内部設定情報を変更した場合、初期化処理が実行されなければ、設定変更が有効化されない場合がある。例えば、後述するドライバ情報配信機能の設定変更は、設定情報が変更されただけでは有効化されない。ドライバ情報配信機能の設定変更は、設定情報の変更後に後述するドライバ情報配信部１０１５（図１０）の初期化処理が実行されると有効化される。なお、印刷装置１０３の初期化処理が実行されると、ドライバ情報配信部１０１５（図１０）の初期化処理も実行される。
【００４４】
また、本実施例では、クイック機能がＯＮに設定されている状態で、遠隔操作で再起動を実行すると、印刷装置１０３はクイックＯＦＦ状態になり、その後、初期化処理を実行することなく電源ＯＮ状態に戻る。よって、本実施例では、クイック機能がＯＮに設定されている電源ＯＮ状態の時に、印刷装置１０３のドライバ情報配信機能の設定変更を行った場合、単に、遠隔操作で印刷装置１０３を再起動しても設定変更が有効化されない。
【００４５】
図３は、本実施例の管理装置１０１が表示するデバイス選択画面の一例を示す図である。なお、この画面は、管理装置１０１のデバイス選択部１００１（後述する図１０）により表示部２０７に表示される。なお、この画面を、管理装置１０１からクライアント１０２で実行されるＷｅｂブラウザに送信し、該Ｗｅｂブラウザ上に表示して管理者からの操作入力を該Ｗｅｂブラウザから受け付けるようにしてもよい。
【００４６】
管理装置１０１は、図３に示すように、デバイス一覧（デバイスリスト）３０１において、管理下のデバイスを、デバイス名、状態、製品名、ＩＰアドレス、シリアルＮｏ．、設置場所、コメント等の付属情報と共にリストで一覧表示することができる。なお、管理下となるデバイスとは、印刷機能、ＦＡＸ機能、コピー機能等を併せ持つ画像形成装置であり、印刷装置１０３〜１０５はこれに該当する。図３の例では、管理装置１０１が、管理下のデバイスＡ、デバイスＢ、デバイスＣの情報をデバイス一覧表示領域３０１に表示している。管理装置１０１は、管理者の操作に応じて、印刷装置１０３〜１０５等のデバイスを管理下に追加登録したり、削除することができる。なお、新たなデバイスが管理下に登録されると、管理装置１０１は、そのデバイスに対して、管理対象に登録された旨の通知を行うものとする。また、デバイスが管理対象から削除されると、管理装置１０１は、そのデバイスに対して、管理対象から削除された旨の通知を行うものとする。
【００４７】
なお、デバイス一覧３０１に一覧表示されたデバイスは、管理装置１０１により、管理装置１０１のＰＤ２０９又はＫＢＤ２０６から選択可能（１又は複数選択可能）に制御されている。
【００４８】
管理者によりデバイス一覧３０１に一覧表示されているデバイスが１又は複数が選択され、「ドライバ情報配信ボタン」３０２が押下されると、管理装置１０１は、図４〜図６に示すドライバ情報配信設定画面を表示し、ドライバ情報配信設定を受け付ける。
【００４９】
図４、図５、図６は、実施例１の管理装置１０１が表示するドライバ情報配信設定画面の一例を表した図である。なお、これらの画面は、管理装置１０１のデバイス設定情報作成部１００２（後述する図１０）により表示部２０７に表示される。なお、これらの画面を、管理装置１０１からクライアント１０２で実行されるＷｅｂブラウザに送信し、該Ｗｅｂブラウザ上に表示して管理者からの操作入力を該Ｗｅｂブラウザから受け付けるようにしてもよい。
【００５０】
図４〜図６において、４０１は、ドライバ情報配信機能チェックボックスである。ドライバ情報配信機能チェックボックス４０１は、管理者に、図３のデバイス一覧３０１で選択された印刷装置のドライバ情報配信機能の利用可否を選択させるためのものである。ドライバ情報配信機能チェックボックス４０１がチェックされると、印刷装置のドライバ情報配信機能が利用可となり、一方、チェックされていないと、印刷装置のドライバ情報配信機能が利用不可となる。なお、印刷装置のドライバ設定配信機能については後述する。
【００５１】
４０２は有効化方法表示領域である。有効化方法表示領域４０２は、図３のデバイス一覧３０１で選択された印刷装置のドライバ情報配信機能の設定変更有効化方法を表示により管理者に提示するためのものである。なお、表示される印刷装置のドライバ情報配信機能の設定変更有効化方法は、予め管理装置１０１の管理下に登録されている印刷装置から管理装置１０１に送信されて管理装置１０１のＨＤ２０５に格納されているものとする。
【００５２】
４０３は、判定結果通知機能チェックボックスである。判定結果通知機能チェックボックス４０３は、管理者に、図３のデバイス一覧３０１で選択された印刷装置の判定結果通知機能の利用可否を選択させるためのものである。判定結果通知機能チェックボックス４０３がチェックされると、図３のデバイス一覧３０１で選択された印刷装置が、指定日時にドライバ情報配信機能の設定変更が有効化されているかどうかを判定して結果を管理者に通知するようになる。なお、管理者の通知先となるメールアドレス（後述する判定結果通知先メールアドレス）は、予め設定されて管理装置１０１のＨＤ２０５に格納されているものとする。
【００５３】
４０４は、実行日テキストボックスである。実行日テキストボックス４０４は、管理者に、印刷装置がドライバ情報配信機能の設定変更が有効化されているか判定する年月日を設定させるためのものである。４０５は、実行開始時刻テキストボックスである。実行開始時刻テキストボックス４０５は、管理者に、印刷装置がドライバ情報配信機能の設定変更が有効化されているか判定する時刻を設定させるためのものである。
【００５４】
４０６は、ＯＫボタンである。管理者が各種設定をしてＯＫボタン４０６を押下すると、管理装置１０１は、この操作を検知し、双方向インタフェース２１１を介して、図３のデバイス一覧３０１で選択された印刷装置にドライバ情報配信機能の設定情報や設定変更結果通知情報（後述する図１３）等を送付する。なお、これらの処理は、後述する図１２のフローチャートで詳細に説明する。
【００５５】
４０７は、キャンセルボタンである。管理者がキャンセルボタン４０７を押下すると、管理装置１０１は、この操作を検知し、ドライバ情報配信設定画面を閉じて、設定を中止する。
【００５６】
なお、図４の有効化方法表示領域４０２は、図３のデバイス一覧３０１で選択された全ての印刷装置の設定変更有効化方法が同一で、且つ「電源スイッチのＯＦＦ／ＯＮ」、「デバイスの再起動」、「ドライバ情報配信部の再起動」の何れかである場合の表示例に対応する。
【００５７】
また、図５の有効化方法表示領域４０２は、図３のデバイス一覧３０１で選択された全ての印刷装置の設定変更有効化方法が同一で、且つ「ドライバ情報配信部の再起動」である場合の表示例に対応する。
【００５８】
また、図６の有効化方法表示領域４０２は、図３のデバイス一覧３０１で選択されたデバイスＡ及びデバイスＢの設定変更有効化方法が「ドライバ情報配信部の再起動」である場合、且つ、図３のデバイス一覧３０１で選択されたデバイスＣの設定変更有効化方法が「電源スイッチのＯＦＦ／ＯＮ」、「デバイスの再起動」、「ドライバ情報配信部の再起動」の何れかである場合の表示例に対応する。
【００５９】
以上示したように、ドライバ情報配信設定画面は、図３のデバイス一覧３０１で選択された印刷装置に送信する設定情報を設定するためのドライバ情報配信機能チェックボックス４０１（第１設定部）を備える。また、ドライバ情報配信設定画面は、図３のデバイス一覧３０１で選択された印刷装置で、後述するクイック機能が有効に設定されている場合における、ドライバ情報配信機能チェックボックス４０１での設定で変更される設定の反映方法を管理者に提示する有効化方法表示領域４０２（提示部）を備える。また、ドライバ情報配信設定画面は、ドライバ情報配信機能チェックボックス４０１での設定に対応する設定変更の反映状況を確認して確認結果を所定の通知先（後述する管理者のメールアドレス）に通知する設定変更結果通知機能を印刷装置（図３のデバイス一覧３０１で選択された印刷装置）に設定するための判定結果通知機能チェックボックス４０３等（第２設定部）を備える。
【００６０】
図７は、本実施例の印刷装置１０３が表示するドライバ情報配信画面の一例を示す図である。この画面は、印刷装置のドライバ情報配信機能の利用可を示す「使用する」に設定され、且つ、その設定が有効化されている場合に、操作部２２４等からのユーザ操作に応じて、印刷装置１０３のドライバ情報配信部１０１５（後述する図１０）により操作部２２４の表示部に表示される。なお、この画面を、印刷装置１０３からクライアント１０２で実行されるＷｅｂブラウザに送信し、該Ｗｅｂブラウザ上に表示してユーザからの操作入力を該Ｗｅｂブラウザから受け付けるようにしてもよい。
【００６１】
図７において、７０１はメールアドレステキストボックスである。メールアドレステキストボックス７０１は、印刷装置のドライバ情報配信機能により、ドライバ情報を配信する際の宛先となる配信先メールアドレスを、ユーザに設定させるためのものである。なお、ユーザはメールアドレステキストボックス７０１に入力するメールアドレスをＨＤ２２８に格納されたアドレス帳から選択することも可能である。また、メールアドレステキストボックス７０１に複数のメールアドレスをセミコロンやカンマ等で区切って入力しても、また登録されたグループのアドレスを入力してもよい。
【００６２】
７０２は送信開始ボタンである。ユーザが、メールアドレステキストボックス７０１に配信先メールアドレスを設定して、送信開始ボタン７０２を押下すると、印刷装置１０３のドライバ情報配信部１０１５（図１０）は、この操作を検知し、ドライバ情報配信処理を行う。ドライバ情報配信処理とは、メールアドレステキストボックス７０１に設定された通知先メールアドレス宛てに、プリンタドライバの取得方法が記載されたドライバ情報メールを送信する処理を示す。
【００６３】
図８は、本実施例の印刷装置１０３が保持するデバイス設定情報の一例を示す図である。なお、このデバイス設定情報は、印刷装置１０３の記憶部１０１０（後述する図１０）に記憶される。
【００６４】
図８に示されるように、デバイス設定情報は、機能列８０１、及び、設定値列８０２から構成されている。機能列８０１には、印刷装置１０３が備える機能が登録され、設定値列８０２には各機能の設定値がＯＮ、ＯＦＦのいずれかで登録されている。このデバイス設定情報で、設定値がＯＮに設定された機能は使用可となり、設定値がＯＦＦに設定された機能は使用不可となる。
【００６５】
図８の例は、クイック機能がＯＦＦに設定され使用不可となっていて、ドライバ情報配信機能がＯＮに設定され使用可となっていることを表している。
管理者は、管理装置１０１を使って、あるいは、図示しない印刷装置１０３の操作部２２４の備えるユーザインタフェースを使って、デバイス設定情報を変更可能となっている。例えば、ドライバ情報配信機能については、管理装置１０１から図４〜図６に示したドライバ情報配信設定画面（特にドライバ情報配信機能チェックボックス４０１）からも設定変更可能となっている。
【００６６】
図９は、本実施例の印刷装置１０３が保持する再初期化情報テーブルの一例を示す図である。なお、この再初期化情報テーブルは、印刷装置の記憶部１０１０（後述する図１０）に記憶される。
【００６７】
図９に示されるように、再初期化情報テーブルは、デバイス設定状態列９０１、自動初期化許可フラグ列９０２、再初期化方法列９０３から構成されている。
デバイス設定状態列９０１には、再初期化を必要とするデバイス設定状態が登録される。図９の例では、クイック機能ＯＦＦ状態、および、クイック機能ＯＮ状態が登録されている。
【００６８】
自動初期化許可フラグ列９０２には、印刷装置がデバイス設定状態列９０１のデバイス設定状態の時に自動再初期化を許可するか否かを示すフラグがＯＮ、ＯＦＦのいずれかで登録されている。自動初期化許可フラグ列９０２のフラグがＯＮに設定されている場合は、自動再初期化が許可されていることを表し、フラグがＯＦＦに設定されている場合は、許可されていないことを表す。図９の例は、デバイスの設定状態がクイック機能ＯＦＦ状態の時には自動再初期化処理が許可されていて、クイック機能ＯＮ状態の時には自動再初期化処理が許可されていないことを表している。
【００６９】
再初期化方法列９０３には、印刷装置がデバイス設定状態列９０１のデバイス設定状態の時に、デバイス設定情報の設定変更有効化方法（反映方法）が登録されている。即ち、再初期化方法列９０３には、クイック機能がＯＮ（有効）に設定されている場合に、変更された設定を反映する反映方法と、クイック機能がＯＦＦ（無効）に設定されている場合に、変更された設定を反映する反映方法とがそれぞれ記憶されている。
【００７０】
図９の例は、デバイスの設定状態がクイック機能ＯＦＦ状態の時の再初期化方法（設定変更を有効化する方法）として、電源スイッチのＯＦＦ／ＯＮ（電源スイッチをオフした後にオンする操作）、デバイスの再起動、後述するドライバ情報配信部の再起動、という３つの方法が登録されていることを示している。また、デバイスの設定状態がクイック機能ＯＮ状態の時の再初期化方法（設定変更を有効化する方法）として、後述するドライバ情報配信部の再起動が登録されていることを示している。
【００７１】
なお、上述したように、本実施例では、クイック機能がＯＮに設定されている状態で、遠隔操作で再起動を実行すると、印刷装置１０３はクイックＯＦＦ状態になり、その後、初期化処理を実行することなく電源ＯＮ状態に戻るように構成されている。よって、本実施例では、クイック機能がＯＮに設定されている電源ＯＮ状態の時に、印刷装置１０３のドライバ情報配信機能の設定変更を行った場合、単に、遠隔操作で印刷装置１０３を再起動しても設定変更が有効化されない。このため、本実施例では、図９の再初期化情報テーブルには、デバイスの設定状態がクイック機能ＯＮ状態の時の再初期化方法（設定変更を有効化する方法）として、「ドライバ情報配信部の再起動」が登録され、「デバイスの再起動」は登録されていない。もちろん、クイック機能がＯＮに設定されている状態で、遠隔操作で再起動を実行した場合に、初期化処理が実行されて電源ＯＮ状態に戻るように印刷装置を構成することも可能である。この構成の印刷装置においては、図９の再初期化情報テーブルに、デバイスの設定状態がクイック機能ＯＮ状態の時の再初期化方法（設定変更を有効化する方法）として、「デバイスの再起動」及び「ドライバ情報配信部の再起動」が登録されることになる。
【００７２】
以下、図１０を参照して、管理装置１０１と印刷装置１０３の主要なモジュール構成について説明する。
図１０は、本実施例の管理装置１０１と印刷装置１０３の主要なモジュール構成の一例を示すブロック図である。なお、ここでは、印刷装置１０３を用いて説明するが、印刷装置１０４，１０５のモジュール構成も印刷装置１０３と同様である。
【００７３】
まず、管理装置１０１のモジュール構成について説明する。
図１０に示されるように、管理装置１０１は、デバイス選択部１００１、デバイス設定情報作成部１００２、デバイス設定情報受信部１００３を備える。なお、これらのモジュール１００１〜１００３は、管理装置１０１のＣＰＵ２００が管理装置１０１のＨＤ２０５にコンピュータ読み取り可能に記録されたプログラムを読み出して実行することにより実現されるものである。
【００７４】
デバイス選択部１００１は、図３に示したデバイス選択画面を表示部２０７等に表示する機能を備える。
デバイス設定情報受信部１００３は、管理下の印刷装置から送信される印刷装置の識別情報、および、ドライバ情報配信機能の設定変更を有効化する方法を受信することで取得してＨＤ２０５に保管する機能を備える。
【００７５】
デバイス設定情報作成部１００２は、デバイス設定情報受信部１００３からドライバ情報配信機能の設定変更を有効化する方法を取得し、図４、図５、図６に示したようなドライバ情報配信画面を表示部２０７等に表示する機能を備える。
【００７６】
さらに、デバイス設定情報作成部１００２は、管理者が設定したドライバ情報配信の設定情報と、設定変更結果通知情報（結果通知指示、結果判定日時、及び、通知先メールアドレスから構成される（後述する図１３））とを合わせて、デバイス選択画面で選択されている印刷装置に送付する機能を備える。
【００７７】
次に、印刷装置１０３のモジュール構成について説明する。
図１０に示されるように、印刷装置１０３は、記憶部１０１０、デバイス設定情報送信部１０１１、デバイス設定情報設定部１０１２、監視部１０１３、メール送信部１０１４、ドライバ情報配信部１０１５を備える。なお、記憶部１０１０は、印刷装置１０３のＨＤ２２８上の記録領域として実現されるものである。また、モジュール１０１１〜１０１５は、印刷装置１０３のＰＣＰＵ２２０が印刷装置１０３のＲＯＭ２２１にコンピュータ読み取り可能に記録されたプログラムを読み出して実行することにより実現されるものである。
【００７８】
記憶部１０１０は、プリンタドライバ、デバイス設定情報（図８）、再初期化情報テーブル（図９）、動作ログ等を保管（記憶）する機能を備える。
デバイス設定情報送信部１０１１は、デバイス設定情報が変更されると、記憶部１０１０に保管されているデバイス設定情報を参照し、登録されている設定項目と設定値からデバイス設定状態を確定する機能を備える。さらに、デバイス設定情報送信部１０１１は、再初期化情報テーブルを参照し、前記確定したデバイス設定状態に応じた再初期化方法を取得し、該取得した情報を設定変更を有効化する方法として、印刷装置の識別情報と共に管理装置１０１に送付する機能を備える。なお、印刷装置１０３が管理装置１０１の管理対象に登録されると、上述のように、管理装置１０１から管理対象に登録された旨の通知が、印刷装置１０３に送信される。この通知を受信すると、デバイス設定情報送信部１０１１は、該通知の送信元である管理装置１０１のＩＰアドレスを、自身を管理する装置のＩＰアドレスとして記憶部１０１０に登録するとともに、上述の設定変更を有効化する方法を、印刷装置の識別情報と共に管理装置１０１に送付する機能（反映方法送信機能）を備える。
【００７９】
デバイス設定情報設定部１０１２は、管理装置１０１からドライバ情報配信の設定情報、および、設定変更結果通知情報（図１３）を受信する機能を備える。さらに、デバイス設定情報設定部１０１２は、受信した設定情報に従い、記憶部１０１０に保管されているデバイス設定情報を設定する機能を備える。さらに、デバイス設定情報設定部１０１２は、監視部１０１３に対して、設定変更の有効化判定を指示する機能を備える。なお、設定変更の有効化判定とは、監視部１０１３が、受信した設定変更結果通知情報に従って、指定された日時に、ドライバ情報配信機能の設定変更が有効化されているかどうかを判定し、該判定の結果を、デバイス設定情報設定部１０１２に通知する処理に対応する。
【００８０】
監視部１０１３は、デバイス設定情報設定部１０１２の指示に従い、設定変更の有効化判定を行う（指定された日時にドライバ情報配信機能の設定変更が有効化されているか判定し判定の結果を、デバイス設定情報設定部１０１２に通知する）機能を備える。さらに、監視部１０１３は、ドライバ情報配信機能の設定変更が有効化されていない場合に、記憶部１０１０に保管されている動作ログを参照して、設定変更が有効化されていない原因を解析する機能を備える。さらに、監視部１０１３は、ドライバ情報配信機能の設定変更が有効化されていない場合に、判定結果と原因が記載された設定変更結果通知メール（後述する図１１）を、管理者メールアドレス宛てに送付するように、メール送信部１０１４に指示する機能を備える。
【００８１】
メール送信部１０１４は、監視部１０１３の指示に従い、通知先メールアドレス宛てに、判定結果と原因が記載された設定変更結果通知メール（後述する図１１）を送付する機能を備える。
【００８２】
ドライバ情報配信部１０１５は、操作部２２４等からドライバ情報配信機能が呼び出されると、ドライバ情報配信機能の設定値がＯＮの場合、図７のドライバ情報配信画面を操作部２２４の表示部等に表示する機能を備える。さらに、ドライバ情報配信部１０１５は、ドライバ情報配信画面で送信開始ボタン７０２が押下されると、この操作を検知し、ドライバ情報配信画面でユーザが設定した送信先メールアドレス（７０２）宛てにドライバ情報メールを送信する機能を備える。
【００８３】
なお、ドライバ情報配信部１０１５は、例えばアプリケーションプログラムにより実現されるものであり、上述した印刷装置１０３の初期化処理により起動される。また、ドライバ情報配信部１０１５は、印刷装置１０３のドライバ情報配信部１０１５を再起動する機能により再起動される。
【００８４】
また、ドライバ情報配信部１０１５は、ドライバ情報配信部１０１５自身の起動時の処理において、記憶部１０１０に保管されているデバイス設定情報を参照し、ドライバ情報配信機能の設定値のＯＮ／ＯＦＦを判断する機能を備える。即ち、ドライバ情報配信部１０１５に対する設定変更はこの際に反映（有効化）される。従って、ドライバ情報配信部１０１５に対する設定変更は、印刷装置１０３の初期化処理が実行された場合、また、ドライバ情報配信部１０１５の再起動が実行された場合に、反映（有効化）されることになる。なお、ドライバ情報配信部１０１５の再起動は、印刷装置１０３の操作部２２４からの指示、又は、管理装置１０１から印刷装置１０３に指示して実行することが可能である。
【００８５】
図１１は、本実施例の印刷装置のメール送信部１０１４が送付する設定変更結果通知メールの一例を示す図である。
図１１において、１１０１はメールヘッダ、１１０２はメール本文である。
図１１に示すように、メール本文１１０２は、設定変更判定対象デバイスの名前１１０２ａ、当該デバイスの識別番号（シリアルＮｏ．）１１０２ｂ、設定変更結果１１０２ｃ、設定変更が有効化されていない原因１１０２ｄ、設定変更を有効化するための方法（リカバリ方法）１１０２ｅが記載されている。
なお、図示しないが、設定変更判定対象デバイスの名前、デバイスの識別番号（シリアルＮｏ．）等も記憶部１０１０に記憶されているものとする。
【００８６】
［処理の説明］
次に、管理者が印刷装置１０３のドライバ情報配信機能の設定を変更する際の、管理装置１０１の処理の流れについて図１２を用いて説明する。
【００８７】
図１２は、本実施例における管理装置１０１の処理の流れを示すフローチャートである。なお、図１２に示す処理を情報処理装置１０１のＣＰＵ２００で実現するためのプログラムは予め、管理装置１０１のＨＤ２０５にインストールされ、ＲＡＭ２０２に呼びだされ、ＣＰＵ２００によって実行されているものとする。
【００８８】
管理者が管理装置１０１を操作してドライバ情報配信機能の設定変更処理を開始すると、Ｓ１２０１でデバイス選択部１００１は、図３で示したデバイス一覧画面を表示する。この時、デバイス選択部１００１は、管理装置１０１が管理しているデバイスの付属情報をデバイス一覧表示領域３０１に表示する。
【００８９】
次にＳ１２０２において、デバイス選択部１００１は、デバイスが選択された状態でドライバ情報配信ボタン３０２が押下されたかどうかを判定する。
ここで、ドライバ情報配信ボタン３０２が押下されていないと判定した場合（Ｓ１２０２でＮｏの場合）、デバイス選択部１００１は、Ｓ１２０２に処理を戻す。
一方、ドライバ情報配信ボタン３０２が押下されたと判定した場合（Ｓ１２０２でＹｅｓの場合）、処理はＳ１２０３に進む。この際、デバイス選択部１００１は、図３のデバイス一覧３０１で選択されたデバイスの情報を、デバイス設定情報作成部１００２に渡す。
【００９０】
Ｓ１２０３では、デバイス設定情報作成部１００２は、ドライバ情報配信設定画面（図４〜図６）を表示する。ただし、この時点では、有効化方法表示領域４０２を空白としておく。
【００９１】
次に、Ｓ１２０４において、デバイス設定情報作成部１００２は、デバイス設定情報受信部１００３が保管している、デバイス一覧画面で選択されたデバイスのドライバ情報配信機能の設定変更有効化方法を取得する。
【００９２】
そして、Ｓ１２０５において、デバイス設定情報作成部１００２は、デバイス一覧画面で選択された全デバイスの設定変更有効化方法が同じかどうかを判定する。
ここで、全デバイスの設定変更有効化方法が同じであると判定した場合（Ｓ１２０５でＹｅｓの場合）、デバイス設定情報作成部１００２は、Ｓ１２０６に処理を進める。
Ｓ１２０６では、デバイス設定情報作成部１００２は、全デバイス共通の設定変更有効化方法を有効化方法表示領域に表示する。本実施例では、本実施例では、図４或いは図５の有効化方法表示領域４０２のように表示される。
【００９３】
図４の有効化方法表示領域４０２は、全デバイスの設定変更有効化方法が「電源スイッチのＯＦＦ／ＯＮ」、「デバイスの再起動」、「ドライバ情報配信部の再起動」の何れかである場合の表示例である。図５の有効化方法表示領域４０２は、全デバイスの設定変更有効化方法が「ドライバ情報配信部の再起動」である場合の表示例である。
【００９４】
一方、上記Ｓ１２０５において、全デバイスの設定変更有効化方法が同じでないと判定した場合（Ｎｏの場合）、デバイス設定情報作成部１００２は、Ｓ１２０７に処理を進める。
【００９５】
Ｓ１２０７では、デバイス設定情報作成部１００２は、デバイス別の設定変更有効化方法を有効化方法表示領域に表示する。本実施例では、図６の有効化方法表示領域４０２のように表示される。図６の有効化方法表示領域４０２は、デバイスＡ、および、デバイスＢの設定変更有効化方法が「ドライバ情報配信部の再起動」であり、デバイスＣの設定変更有効化方法が「電源スイッチのＯＦＦ／ＯＮ」、「デバイスの再起動」、「ドライバ情報配信部の再起動」の何れかである場合の表示例である。
【００９６】
上記Ｓ１２０６又はＳ１２０７で設定変更有効化方法を表示すると、デバイス設定情報作成部１００２は、Ｓ１２０８に処理を進める。
Ｓ１２０８では、デバイス設定情報作成部１００２は、ＯＫボタン４０６が押下されたかどうかを判定する。
ここで、ＯＫボタン４０６が押下されていないと判定した場合（Ｓ１２０８でＮｏの場合）、デバイス設定情報作成部１００２は、Ｓ１２０８に処理を戻す。なお、図示しないが、ドライバ情報配信設定画面（図４〜図６）のキャンセルボタン４０７が押下されたと判定した場合には、デバイス設定情報作成部１００２は、ドライバ情報配信設定画面を閉じて、本フローチャートの処理を終了する。
【００９７】
一方、ＯＫボタン４０６が押下されたと判定した場合（Ｓ１２０８でＹｅｓの場合）、デバイス設定情報作成部１００２は、Ｓ１２０９に処理を進める。
Ｓ１２０９において、デバイス設定情報作成部１００２は、ドライバ情報配信機能チェックボックス４０１がチェックされているかどうかを判定する。
ここで、ドライバ情報配信機能チェックボックス４０１がチェックされていると判定した場合（Ｓ１２０９でＹｅｓの場合）、デバイス設定情報作成部１００２は、Ｓ１２１０に処理を進める。Ｓ１２１０では、デバイス設定情報作成部１００２は、ドライバ情報配信の設定情報を「使用する」に設定し、Ｓ１２１２に処理を進める。
【００９８】
一方、上記Ｓ１２０９でドライバ情報配信機能チェックボックス４０１がチェックされていないと判定した場合（Ｎｏの場合）、デバイス設定情報作成部１００２は、Ｓ１２１１に処理を進める。Ｓ１２１１では、デバイス設定情報作成部１００２は、ドライバ情報配信の設定情報を「使用しない」に設定し、Ｓ１２１２に処理を進める。
【００９９】
Ｓ１２１２では、デバイス設定情報作成部１００２は、判定結果通知機能チェックボックス４０３がチェックされているかどうかを判定する。
ここで、判定結果通知機能チェックボックス４０３がチェックされていると判定した場合（Ｓ１２１２でＹｅｓの場合）、デバイス設定情報作成部１００２は、Ｓ１２１３に処理を進める。
【０１００】
Ｓ１２１３では、デバイス設定情報作成部１００２は、実行日テキストボックス４０４、および、実行開始時刻テキストボックス４０５で設定されている、設定変更の有効化判定日時に関する情報を取得する。
【０１０１】
次に、Ｓ１２１４において、デバイス設定情報作成部１００２は、図１３に示す、結果通知指示１３０１、設定変更の判定日時１３０２、および、判定結果通知先メールアドレス１３０３から構成される設定変更結果通知情報を生成する。
【０１０２】
図１３は、本実施例の設定変更結果通知情報の一例を表した図である。
図１３に示すように、設定変更結果通知情報は、結果通知指示１３０１、判定日時１３０２、判定結果通知先メールアドレス１３０３を含む。
図１３に示す設定変更結果通知情報の例では、結果通知指示１３０１が「通知する」、判定日時１３０２が「2011/11/11 11:11」、判定結果通知先メールアドレス１３０３が「DeviceManager@a.com」となっている。
【０１０３】
以下、図１２のフローチャートの説明に戻る。
次に、Ｓ１２１５において、デバイス設定情報作成部１００２は、上記Ｓ１２１０又はＳ１２１１で設定したドライバ情報配信機能の設定情報、および、上記Ｓ１２１４で生成した設定変更結果通知情報を、デバイス一覧画面で選択されたデバイス（例えば、印刷装置１０３）に送付して、本フローチャートの処理を終了する。
【０１０４】
一方、上記Ｓ１２１２において、判定結果通知機能チェックボックス４０３がチェックされていないと判定した場合（Ｎｏの場合）、デバイス設定情報作成部１００２は、Ｓ１２１６に処理を進める。
【０１０５】
Ｓ１２１６では、デバイス設定情報作成部１００２は、上記Ｓ１２１０又はＳ１２１１で設定したドライバ情報配信機能の設定情報を、デバイス一覧画面で選択されたデバイス（例えば、印刷装置１０３）に送付して、本フローチャートの処理を終了する。
【０１０６】
次に、図１４、図１５を用いて、管理者が印刷装置１０３のドライバ情報配信機能の設定を変更する際の印刷装置１０３の処理の流れについて説明する。
図１４は、本実施例における印刷装置１０３のデバイス設定情報設定部１０１２の処理の流れを示すフローチャートである。
図１５は、本実施例における印刷装置１０３の監視部１０１３の処理の流れを示すフローチャートである。
なお、図１４、図１５示す処理を印刷装置１０３のＰＣＰＵ２２０で実現するためのプログラム（ドライバ情報配信機能の設定変更に係るプログラム）は予め、印刷装置１０３のＨＤ２２８にインストールされ（又はＰＲＯM２２１に記録され）、ＰＲＡＭ２２２に呼びだされ、ＰＣＰＵ２２０によって実行されているものとする。
【０１０７】
まず、図１４を参照して、デバイス設定情報設定部１０１２の処理について説明する。
図１２のＳ１２１５又はＳ１２１６で管理装置１０１のデバイス設定情報作成部１００２が送付したドライバ情報配信の設定情報（及び設定変更結果通知情報）を印刷装置１０３が受信すると、デバイス設定情報設定部１０１２は、図１４のフローチャートに示す処理を開始する。
【０１０８】
まず、Ｓ１４０１において、デバイス設定情報設定部１０１２は、管理装置１０１から送付されたドライバ情報配信機能の設定情報（「使用する」又は「使用しない」）を取得する。
【０１０９】
次に、Ｓ１４０２において、デバイス設定情報設定部１０１２は、上記Ｓ１４０１で取得したドライバ情報配信機能の設定情報に基づいて、印刷装置１０３のドライバ情報配信機能の設定情報を変更する。具体的には、デバイス設定情報設定部１０１２は、上記Ｓ１４０１で取得したドライバ情報配信機能の設定情報に基づいて、記憶部１０１０に保管されているデバイス設定情報（図８）に登録されているドライバ情報配信機能の設定値を変更する。例えば、上記Ｓ１４０１で取得したドライバ情報配信機能の設定情報が「使用する」の場合、記憶部１０１０に保管されているデバイス設定情報（図８）に登録されているドライバ情報配信機能の設定値を「ＯＮ」に変更する。また、上記Ｓ１４０１で取得したドライバ情報配信機能の設定情報が「使用しない」の場合、記憶部１０１０に保管されているデバイス設定情報（図８）に登録されているドライバ情報配信機能の設定値を「ＯＦＦ」に変更する。
【０１１０】
次に、Ｓ１４０３において、デバイス設定情報設定部１０１２は、記憶部１０１０に保管されているデバイス設定情報（図８）を参照してクイック機能の設定値（ＯＮ又はＯＦＦ）を取得する。
【０１１１】
次に、Ｓ１４０４において、デバイス設定情報設定部１０１２は、記憶部１０１０に保管されている再初期化情報テーブル（図９）を参照し、上記Ｓ１４０３で取得したクイック機能の設定値に対応する自動再初期化許可フラグの設定値を取得する。例えば、図８の例では「クイック機能」の設定値は「ＯＦＦ」であり、図９の例では再初期化情報テーブルの「クイック機能ＯＦＦ」に対応する自動再初期化許可フラグの設定値が「ＯＮ」であるので、Ｓ１４０４で取得する自動再初期化許可フラグの設定値は「ＯＮ」となる。
【０１１２】
次に、Ｓ１４０５において、デバイス設定情報設定部１０１２は、上記Ｓ１４０４で取得した自動再初期化許可フラグが「ＯＮ」に設定されているかどうかを判定する。
ここで、自動再初期化許可フラグが「ＯＮ」に設定されていないと判定した場合（Ｓ１４０５でＮｏの場合）、デバイス設定情報設定部１０１２は、Ｓ１４０６に処理を進める。
【０１１３】
Ｓ１４０６では、デバイス設定情報設定部１０１２は、管理装置１０１から送付された設定変更結果通知情報（図１３）を取得し、記憶部１０１０内に保存する。
次に、Ｓ１４０７において、デバイス設定情報設定部１０１２は、上記Ｓ１４０６で取得した設定変更結果通知情報（図１３）に含まれる結果通知指示１３０１が「通知する」に設定されているかどうかを判定する。
【０１１４】
ここで、結果通知指示１３０１が「通知する」に設定されていないと判定した場合（Ｓ１４０７でＮｏの場合）、デバイス設定情報設定部１０１２は、本フローチャートの処理を終了する。
【０１１５】
一方、結果通知指示１３０１が「通知する」に設定されていると判定した場合（Ｓ１４０７でＹｅｓの場合）、デバイス設定情報設定部１０１２は、Ｓ１４０８に処理を進める。
【０１１６】
Ｓ１４０８では、デバイス設定情報設定部１０１２は、上記Ｓ１４０６で取得した設定変更結果通知情報を監視部１０１３に渡し、監視部１０１３に設定変更の有効化判定を実行するように指示する。なお、監視部１０１３による設定変更の有効化判定の実行については図１５で説明する。
【０１１７】
そして、デバイス設定情報設定部１０１２は、上記Ｓ１４０８の指示を行った後、本フローチャートの処理を終了する。
一方、上記Ｓ１４０５において、自動再初期化許可フラグが「ＯＮ」に設定されていると判定した場合（Ｙｅｓの場合）、デバイス設定情報設定部１０１２は、Ｓ１４０９に処理を進める。
【０１１８】
Ｓ１４０９では、デバイス設定情報設定部１０１２は、記憶部１０１０に保管されている再初期化情報テーブル（図９）を参照し、上記Ｓ１４０３で取得したクイック機能の設定値に対応する再初期化方法９０３を取得する。
【０１１９】
次に、Ｓ１４１０において、デバイス設定情報設定部１０１２は、上記Ｓ１４０９で取得した再初期化方法に従ってドライバ情報配信機能の再初期化を実行し、本フローチャートの処理を終了する。
【０１２０】
以下、図１５を参照して、監視部１０１３による設定変更の有効化判定について説明する。
上記図１４のＳ１４０８でデバイス設定情報設定部１０１２が監視部１０１３に設定変更の有効化判定を実行するように指示すると、監視部１０１３は、図１５のフローチャートの処理を開始する。
【０１２１】
まず、Ｓ１５０１において、監視部１０１３は、記憶部１０１０内に記憶されている設定変更結果通知情報（図１３）から判定日時１３０２、及び、判定結果通知先メールアドレス１３０３を取得する。
【０１２２】
次に、監視部１０１３は、Ｓ１５０２において、印刷装置１０３の保持する時計を参照して現在の日時を取得し、Ｓ１５０３において、判定日時１３０２になったかどうかを判定する。
【０１２３】
ここで、判定日時１３０２になっていないと判定した場合（Ｓ１５０３でＮｏの場合）、監視部１０１３は、Ｓ１５０２に処理を戻す。
一方、判定日時１３０２になったと判定した場合（Ｓ１５０３でＹｅｓの場合）、監視部１０１３は、Ｓ１５０４に処理を進める。
Ｓ１５０４では、監視部１０１３は、ドライバ情報配信機能の設定変更が有効化されているかどうかを判定する。具体的には、監視部１０１３は、記憶部１０１０に保管されているデバイス設定情報（図８）を参照し、該デバイス設定情報に登録されているドライバ情報配信機能の設定値を取得し、また、ドライバ情報配信部１０１５に問い合わせて、ドライバ情報配信部１０１５の現在の動作を取得する。そして、ドライバ情報配信機能の設定値と、ドライバ情報配信部１０１５の現在の動作とが一致している場合、監視部１０１３は「有効化されている」と判定する。一方、ドライバ情報配信機能の設定値と、ドライバ情報配信部１０１５の現在の動作とが一致していない場合、監視部１０１３は「有効化されていない」と判定する。
【０１２４】
ここで、「有効化されている」と判定した場合（Ｓ１５０４でＹｅｓの場合）、監視部１０１３は、そのまま本フローチャートの処理を終了する。
一方、「有効化されていない」と判定した場合（Ｓ１５０４でＮｏの場合）、監視部１０１３は、Ｓ１５０５に処理を進める。
【０１２５】
Ｓ１５０５では、監視部１０１３は、記憶部１０１０に保管されている再初期化情報テーブル（図９）を参照し、上記図１４のＳ１４０３でデバイス設定情報設定部１０１２が取得したクイック機能の設定値に対応する再初期化方法を取得する。なお、監視部１０１３は、上記図１４のＳ１４０３でデバイス設定情報設定部１０１２が取得したクイック機能の設定値として、記憶部１０１０に保管されているデバイス設定情報（図８）を参照して取得したクイック機能の設定値を用いる。図９の再初期化情報テーブルの例では、「クイック機能ＯＮ」に対応する再初期化方法として「ドライバ情報配信部の再起動」が登録されているため、例えば、クイック機能の設定値が「ＯＮ」の場合は、「クイック機能ＯＮ」に対応する再初期化方法として「ドライバ情報配信部の再起動」を取得する。
【０１２６】
次に、Ｓ１５０６において、監視部１０１３は、記憶部１０１０に保管されている動作ログを参照し、図１４のＳ１４０２でデバイス設定情報設定部１０１２が行ったドライバ情報配信機能の設定値変更以降に記載された動作ログを取得する。なお、監視部１０１３は、記憶部１０１０に保管されているデバイス設定情報（図８）を参照することでドライバ情報配信機能の設定値が変更された日時（図示しないＯＳにより管理されるデータの更新日時）を取得することが可能である。監視部１０１３は、この日時を、デバイス設定情報設定部１０１２が図１４のＳ１４０２で行ったドライバ情報配信機能の設定値変更の日時として用いる。
【０１２７】
次に、Ｓ１５０７において、監視部１０１３は、上記Ｓ１５０６で取得した動作ログに、上記Ｓ１５０５で取得した再初期化方法が実行された記録があるかどうかを判定する。
ここで、上記再初期化方法実行された記録があると判定した場合（Ｓ１５０７でＹｅｓの場合）、監視部１０１３は、Ｓ１５０８に処理を進める。
【０１２８】
Ｓ１５０８では、監視部１０１３は、原因１１０２ｄ（図１１）に「再初期化が実行されたが、設定変更が有効化されなかった」旨が本文１１０２に記載された、設定変更結果通知メール（図１１）を作成し、Ｓ１５１０に処理を進める。なお、デバイス名１１０２ａ、シリアルNo.１１０２ｂ、設定変更結果１１０２ｃ、リカバリ方法１１０２ｅも作成するメールの本文１１０２に記載するものとする。なお、リカバリ方法１１０２ｅには、上記Ｓ１５０５で取得した再初期化方法を記載するものとする。
【０１２９】
一方、上記再初期化方法実行された記録がないと判定した場合（Ｓ１５０７でＮｏの場合）、監視部１０１３は、Ｓ１５０９に処理を進める。
Ｓ１５０９では、監視部１０１３は、原因１１０２ｄ（図１１）に「再初期化が実行されていないため、設定変更が有効化されていない」旨が記載された、設定変更結果通知メール（図１１）を作成し、Ｓ１５１０に処理を進める。なお、デバイス名１１０２ａ、シリアルNo.１１０２ｂ、設定変更結果１１０２ｃ、リカバリ方法１１０２ｅも作成するメールの本文１１０２に記載するものとする。なお、リカバリ方法１１０２ｅには、上記Ｓ１５０５で取得した再初期化方法を記載するものとする。
【０１３０】
Ｓ１５１０では、監視部１０１３は、上記Ｓ１５０１で取得した結果判定通知先メールアドレスを、上記Ｓ１５０８又はＳ１５０９で作成した設定変更結果通知メールのメールヘッダ１１０１の宛先欄（To:）に設定する。
【０１３１】
次に、Ｓ１５１１において、監視部１０１３は、上記Ｓ１５１０で宛先を設定した設定変更結果通知メールの送付を、メール送信部１０１４に指示し、本フローチャートの処理を終了する。その後、メール送信部１０１４は、結果判定通知先メールアドレス宛てに、設定変更結果通知メールを送付する。
【０１３２】
以上示したように、本実施例によれば、印刷装置にて設定変更が有効化されているか否かを判定し、結果を管理者に通知するため、管理者が一々管理装置１０１を操作して、印刷装置における設定変更の有効化の有無を確認する必要がなくなり、管理者の負荷が軽減される。
【０１３３】
また、管理装置１０１で設定変更を指示する画面において、各印刷装置の再起動方法（有効化方法表示領域４０２）が提示されるため、管理者が再起動方法を把握しておく必要がなくなり、管理者の負荷が軽減される。
【０１３４】
また、印刷装置の設定変更が有効化されていない場合には、印刷装置が原因を解析して、管理者に通知するため、管理者は対策を立てやすくなり利便性が向上する。
以上のように、印刷装置の設定変更を行う場合の管理者の負荷を軽減することができ、確実に印刷装置の設定変更を有効化することができる。
【実施例２】
【０１３５】
実施例１では、ドライバ情報配信機能の設定変更が有効化されていない場合、原因に「再初期化が実行されていないため、設定変更が有効化されていない」旨が記載された設定変更結果通知メールを管理者に送付する構成を説明した。この構成の場合、管理者が現在のデバイスの設定値と合っていない間違った再初期化を実行した場合、管理者からみると再初期化を実行したのに、再初期化が実行されてない旨の通知がきてしまう状態となる。このような状態では、管理者は、自分のミスになかなか気付かず、設定変更が有効化されない理由を特定するのに時間がかかってしまう可能性がある。
【０１３６】
実施例２では、間違った再初期化が実行された場合には、「間違った再初期化が実行されたために、設定変更が有効化されていない」旨が記載された設定変更結果通知メールを送付するように構成する。以下、実施例２について詳細に説明する。なお、実施例１と同様の構成については説明を割愛し、実施例１と異なる部分のみ説明する。
【０１３７】
図１６は、実施例２における印刷装置１０３の監視部１０１３の処理の流れを示すフローチャートである。
なお、図１６に示す処理を印刷装置１０３のＰＣＰＵ２２０で実現するためのプログラム（ドライバ情報配信機能の設定変更に係るプログラム）は予め、印刷装置１０３のＨＤ２２８にインストールされ（又はＰＲＯM２２１に記録され）、ＰＲＡＭ２２２に呼びだされ、ＰＣＰＵ２２０によって実行されているものとする。
【０１３８】
以下、図１６を参照して、実施例２の監視部１０１３による設定変更の有効化判定について説明する。
まず、Ｓ１６０１〜Ｓ１６０８の処理は、実施例１で示した図１５のＳ１５０１〜Ｓ１５０８の処理と同一のため説明を割愛する。
Ｓ１６０７において、Ｓ１６０５で取得した再初期化方法実行された記録がないと判定した場合（Ｎｏの場合）、監視部１０１３は、Ｓ１６０９に処理を進める。
【０１３９】
Ｓ１６０９では、監視部１０１３は、記憶部１０１０に保管されている再初期化情報テーブル（図９）を参照し、上記図１４のＳ１４０３でデバイス設定情報設定部１０１２が取得したクイック機能の設定値とは異なる設定値に対応する再初期化方法を取得する。ただし、図１４のＳ１４０３で取得したクイック機能の設定値が「ＯＮ」の場合の再初期化方法は除くものとする。例えば、図１４のＳ１４０３で取得したクイック機能の設定値が「ＯＮ」の場合は、クイック機能の設定値が「ＯＦＦ」の場合の再初期化方法である「電源スイッチのＯＦＦ／ＯＮ」、「デバイスの再起動」、「ドライバ情報配信部の再起動」から、「電源スイッチのＯＦＦ／ＯＮ」、「デバイスの再起動」を取得する（図１４のＳ１４０３で取得したクイック機能の設定値が「ＯＮ」の場合の再初期化方法である「ドライバ情報配信部の再起動」は除いてある）。
【０１４０】
そして、Ｓ１６１０において、監視部１０１３は、上記Ｓ１６０６で取得した動作ログに、上記Ｓ１６０９で取得した再初期化方法が実行された記録があるか判定する。
ここで、上記Ｓ１６０９で取得した実行された記録があると判定した場合（Ｓ１６１０でＹｅｓ）、監視部１０１３は、Ｓ１６１１に処理を進める。
【０１４１】
Ｓ１６１１において、監視部１０１３は、図１７に示すように、原因１１０２ｄに「間違った再初期化が実行されているため、設定変更が有効化されなかった」旨が記載された、設定変更結果通知メールを作成し、Ｓ１６１３に処理を進める。なお、デバイス名１１０２ａ、シリアルNo.１１０２ｂ、設定変更結果１１０２ｃ、リカバリ方法１１０２ｅも作成するメールの本文１１０２に記載するものとする。なお、リカバリ方法１１０２ｅには、上記Ｓ１６０５で取得した再初期化方法を記載するものとする。
【０１４２】
図１７は、図１６のＳ１６１１で作成される設定変更結果通知メールの一例を示す図である。
図１７に示す例は、印刷装置１０３のクイック機能の設定値が「ＯＮ」に設定されている時に、間違った再初期化である「電源スイッチＯＦＦ／ＯＮによるデバイス再起動」が実行された場合の設定変更結果通知メールを表している。
【０１４３】
以下、図１６のフローチャートの説明に戻る。
一方、上記Ｓ１６０９で取得した実行された記録がないと判定した場合（Ｓ１６１０でＮｏ）、監視部１０１３は、Ｓ１６１２に処理を進める。
【０１４４】
Ｓ１６１２では、監視部１０１３は、原因１１０２ｄに「再初期化が実行されていないため、設定変更が有効化されていない」旨が記載された、設定変更結果通知メールを作成し、Ｓ１６１３に処理を進める。なお、デバイス名１１０２ａ、シリアルNo.１１０２ｂ、設定変更結果１１０２ｃ、リカバリ方法１１０２ｅも作成するメールの本文１１０２に記載するものとする。なお、リカバリ方法１１０２ｅには、上記Ｓ１６０５で取得した再初期化方法を記載するものとする。
【０１４５】
以下、Ｓ１６１３，Ｓ１６１４の処理は、実施例１で示した図１５のＳ１５１０，Ｓ１５１１の処理と同一のため説明を割愛する。その後、メール送信部１０１４は、結果判定通知先メールアドレス宛てに、設定変更結果通知メールを送付する。
【０１４６】
以上示したように、実施例２によれば、管理者が現在のデバイスの設定値と合っていない間違った再初期化を実行した場合でも、その事実を、管理者は、印刷装置からの通知により容易に把握でき、自分のミスに気付き、設定変更が有効化されない理由を容易に特定することが可能となる。
【０１４７】
よって、管理装置から印刷装置の設定を変更する場合の管理者の負荷を軽減することができ、確実に印刷装置の設定変更を有効化（反映）することができる。
【０１４８】
なお、上記各実施例では、ドライバ情報配信機能の設定変更を例に説明したが、他の機能の設定変更にも、本発明は適用可能である。特に、デバイス設定情報設定部１０１２が記憶部１０１０のデバイス設定情報を変更しても、直ぐに設定変更が反映（有効化）されず、印刷装置の初期化処理時のようにその機能が起動された場合に設定変更が有効となる機能の設定変更に、本発明は有効である。
【０１４９】
なお、上述した各種データの構成及びその内容はこれに限定されるものではなく、用途や目的に応じて、様々な構成や内容で構成されることは言うまでもない。
以上、一実施例について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【０１５０】
（他の実施例）
また、本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【０１５１】
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【０１５２】
１０１    管理装置
１０３〜１０５    印刷装置（画像形成装置）
１０６    ネットワーク
【図１】
2013186749.tif 000003
【図２】
2013186749.tif 000004
【図３】
2013186749.tif 000005
【図４】
2013186749.tif 000006
【図５】
2013186749.tif 000007
【図６】
2013186749.tif 000008
【図７】
2013186749.tif 000009
【図８】
2013186749.tif 000010
【図９】
2013186749.tif 000011
【図１０】
2013186749.tif 000012
【図１１】
2013186749.tif 000013
【図１２】
2013186749.tif 000014
【図１３】
2013186749.tif 000015
【図１４】
2013186749.tif 000016
【図１５】
2013186749.tif 000017
【図１６】
2013186749.tif 000018
【図１７】
2013186749.tif 000019